(57)【要約】【課題】    全機能を表示する標準画面と簡易画面の切換表示を可能としたＧＵＩにおいて、簡易画面に表示する機能の数や種類をユーザのニーズに合わせてカスタマイズすること。【解決手段】    簡易画面に表示する機能キーをユーザが入力画面を介して登録可能とする。  操作パネルの初期設定キーを押し、示されるメニューの中から機能キーを登録するための入力画面（添付図）を液晶タッチパネルに呼び出す。登録機能キー入力画面には、空白表示となっている登録用ボタン群115〜119とこの下部の表示領域に登録用ボタンに割当てることのできる全機能のボタン群が表示される。登録用ボタンを押した後、機能ボタン群から選択した機能のボタンを押すことで、この機能を割当て、空白表示を選択した機能の表示に変える。又登録した機能の削除もこの画面に設けた「設定しない」キーを用いて行うことを可能にする。【選択図】          図１０
2007068040.tif 000002
【特許請求の範囲】
【請求項１】
表示制御によって画面の切換が可能な表示手段、前記表示手段の画面に表示された画像出力条件設定項目への指示操作によって指定された項目を画像出力の設定条件として受付ける入力手段よりなる操作部と、
画像出力を行うための処理手段を前記操作部によって設定された画像出力条件に従い制御する主制御部を有する画像形成装置であって、
前記表示手段に表示する画面として、全ての出力条件設定項目を表示する標準画面と一部の出力条件設定項目を表示する簡易画面を用意するとともに、前記表示手段への表示を前記標準画面と前記簡易画面との間で切り換える画面表示制御手段と、
前記簡易画面に表示する出力条件設定項目を前記標準画面に表示する出力条件設定項目から入力操作によって追加する手段を備えたことを特徴とする画像形成装置。
【請求項２】
表示制御によって画面の切換が可能な表示手段、前記表示手段の画面に表示された画像出力条件設定項目への指示操作によって指定された項目を画像出力の設定条件として受付ける入力手段よりなる操作部と、
画像出力を行うための処理手段を前記操作部によって設定された画像出力条件に従い制御する主制御部を有する画像形成装置であって、
前記表示手段に表示する画面として、全ての出力条件設定項目を表示する標準画面と一部の出力条件設定項目を表示する簡易画面を用意するとともに、前記表示手段への表示を前記標準画面と前記簡易画面との間で切り換える画面表示制御手段と、
前記簡易画面に表示する出力条件設定項目を入力操作によって削除する手段を備えたことを特徴とする画像形成装置。
【請求項３】
表示制御によって画面の切換が可能な表示手段、前記表示手段の画面に表示された画像出力条件設定項目への指示操作によって指定された項目を画像出力の設定条件として受付ける入力手段よりなる操作部と、
画像出力を行うための処理手段を前記操作部によって設定された画像出力条件に従い制御する主制御部を有する画像形成装置であって、
前記表示手段に表示する画面として、全ての出力条件設定項目を表示する標準画面と一部の出力条件設定項目を表示する簡易画面を用意するとともに、前記表示手段への表示を前記標準画面と前記簡易画面との間で切り換える画面表示制御手段と、
前記簡易画面に表示する出力条件設定項目を前記標準画面に表示する出力条件設定項目から入力操作によって追加する手段と、
前記簡易画面に表示する出力条件設定項目を入力操作によって削除する手段を備えたことを特徴とする画像形成装置。
【請求項４】
請求項１乃至３のいずれかに記載された画像形成装置において、前記標準画面と前記簡易画面の間で行う表示切換の可否を設定する手段を備えたことを特徴とする画像形成装置。
【発明の詳細な説明】
【技術分野】
【０００１】
本発明は、コピー、プリンタ、ドキュメントボックス機能によって原文書データに対して指示された出力条件に従い画像出力（画像形成）を行う画像形成装置（複写機、プリンタ、複写・ＦＡＸ・プリンタ等の機能を複合させたＭＦＰ（複合）機等）に関し、より特定すると、操作部（操作パネル）の表示画面を介して対話形式で行う出力条件のユーザ設定を容易にする機能を備えた画像形成装置に関する。
【背景技術】
【０００２】
従来から、複写機、プリンタ等の画像形成装置では、操作部に、例えば液晶タッチパネル方式で良く知られているように、ＧＵＩ（Graphical User Interface）が採用されている。この方式によるＧＵＩでは、液晶ディスプレイの画面を通じて装置からの情報をユーザに伝え、画面へのユーザのタッチ操作を入力として、装置へ指示を与える。
今日、複写機、プリンタ等の画像形成装置は、多機能化の進展とともに、操作部の設定画面が複雑化し、特に、搭載している機能全てに対応することが求められる通常（標準）画面は最たるもので、利用機能の選択や出力条件の設定操作を困難にしている。
こうしたことから、従来、全ての機能を表示する通常（標準）モードとは別に、良く使う機能のみを表示するモードを用意し、両モード間で画面の切換を可能にし、良く使う一部の機能を表示するモードの利用により容易に操作を行なえるようにすることを目的とするＧＵＩが提案されている（下記特許文献１，２参照）。
【特許文献１】特開２００５−７４７１５号公報
【特許文献２】特許第３４６７１３８号公報
【発明の開示】
【発明が解決しようとする課題】
【０００３】
しかしながら、提案された従来技術には、設定を容易にするために切換可能に用意される画面に表示される設定項目をどのように定めるかについて、記されていない。
即ち、上記特許文献１においては、全ての機能選択キーを配置した通常表示モードと、よく使う機能選択キーのみを配置したシンプル表示モードの２種類を切り替えることのできる画像形成装置に関して述べられているが、シンプル表示モードで表示される機能選択キーの種類を追加、削除等を行う方法についての記述はない。
また、上記特許文献２においては、いくつかの基本となる限られた機能を設定可能にする簡易画面と、簡易画面で設定可能な機能を含めた全ての機能を設定可能な標準画面と切り替える手段を有する画像形成装置に関して述べられているが、この例でも同様に、簡易画面に表示することで、設定を可能とする機能の種類を追加、削除等を行う方法については、記述がない。
このように、いずれの従来例にも、簡易画面に表示し、画面から機能の選択や出力条件の設定を可能とする設定項目の数や種類を定めるための手段が示されていない。従って、簡易画面に表示する設定項目をユーザのニーズに合わせてカスタマイズする、といったことが実現できない。
本発明は、全ての出力条件設定項目を表示する標準画面と一部の出力条件設定項目を表示する簡易画面との間の切換表示を可能とした設定画面を表示する、従来の画像形成装置のＧＵＩにおける上記した問題に鑑み、これを解決するためになされたもので、ユーザによって簡易画面に表示する設定項目の数や種類を定め、ユーザのニーズに合わせてカスタマイズできるようにすることを解決すべき課題とする。
【課題を解決するための手段】
【０００４】
請求項１の発明は、表示制御によって画面の切換が可能な表示手段、前記表示手段の画面に表示された画像出力条件設定項目への指示操作によって指定された項目を画像出力の設定条件として受付ける入力手段よりなる操作部と、画像出力を行うための処理手段を前記操作部によって設定された画像出力条件に従い制御する主制御部を有する画像形成装置であって、前記表示手段に表示する画面として、全ての出力条件設定項目を表示する標準画面と一部の出力条件設定項目を表示する簡易画面を用意するとともに、前記表示手段への表示を前記標準画面と前記簡易画面との間で切り換える画面表示制御手段と、前記簡易画面に表示する出力条件設定項目を前記標準画面に表示する出力条件設定項目から入力操作によって追加する手段を備えたことを特徴とし、このようにすることによって上記課題を解決するものである。
請求項２の発明は、表示制御によって画面の切換が可能な表示手段、前記表示手段の画面に表示された画像出力条件設定項目への指示操作によって指定された項目を画像出力の設定条件として受付ける入力手段よりなる操作部と、画像出力を行うための処理手段を前記操作部によって設定された画像出力条件に従い制御する主制御部を有する画像形成装置であって、前記表示手段に表示する画面として、全ての出力条件設定項目を表示する標準画面と一部の出力条件設定項目を表示する簡易画面を用意するとともに、前記表示手段への表示を前記標準画面と前記簡易画面との間で切り換える画面表示制御手段と、前記簡易画面に表示する出力条件設定項目を入力操作によって削除する手段を備えたことを特徴とし、このようにすることによって上記課題を解決するものである。
【０００５】
請求項３の発明は、表示制御によって画面の切換が可能な表示手段、前記表示手段の画面に表示された画像出力条件設定項目への指示操作によって指定された項目を画像出力の設定条件として受付ける入力手段よりなる操作部と、画像出力を行うための処理手段を前記操作部によって設定された画像出力条件に従い制御する主制御部を有する画像形成装置であって、前記表示手段に表示する画面として、全ての出力条件設定項目を表示する標準画面と一部の出力条件設定項目を表示する簡易画面を用意するとともに、前記表示手段への表示を前記標準画面と前記簡易画面との間で切り換える画面表示制御手段と、前記簡易画面に表示する出力条件設定項目を前記標準画面に表示する出力条件設定項目から入力操作によって追加する手段と、前記簡易画面に表示する出力条件設定項目を入力操作によって削除する手段を備えたことを特徴とし、このようにすることによって上記課題を解決するものである。
請求項４の発明は、請求項１乃至３のいずれかに記載された画像形成装置において、前記標準画面と前記簡易画面の間で行う表示切換の可否を設定する手段を備えたことを特徴とし、このようにすることによって上記課題を解決するものである。
【発明の効果】
【０００６】
本発明によると、簡易画面に表示する出力条件設定項目を標準画面に表示する出力条件設定項目から入力操作によって追加する手段（請求項１）、簡易画面に表示する出力条件設定項目を入力操作によって削除する手段（請求項２）、簡易画面に表示する出力条件設定項目を標準画面に表示する出力条件設定項目から入力操作によって追加する手段と簡易画面に表示する出力条件設定項目を入力操作によって削除する手段の両方（請求項３）をそれぞれ備えたことにより、ユーザによって簡易画面に表示する設定項目の数や種類を定めることが容易に可能になり、ユーザのニーズに合わせてカスタマイズされた設定画面を提供でき、利便性の向上に資する。
また、標準画面と簡易画面の間で行う表示切換の可否を設定する手段を備えたことによって（請求項４）、利用環境によっては、標準画面と簡易画面のいずれかの表示モードに固定する方が、より使い勝手が良い、という場合に、それぞれに適合した設定により、パフォーマンスの向上を図ることが可能になる。
【発明を実施するための最良の形態】
【０００７】
以下、本発明の画像形成装置に係わる実施形態を説明する。
先ず、本発明の画像形成装置を好適に実施し得る複写機の概要を説明する。なお、本発明は、複写機以外に、プリンタ、ファクシミリ（ＦＡＸ）、複写・ＦＡＸ・プリンタ・スキャナ等の機能を複合させたＭＦＰ（複合）機等の画像形成装置に実施することができる。また、本実施形態では、カラー複写機を対象にしたが、モノクロ機でも良い。
図１は、本実施形態に係わるカラー複写機の全体構成の概要を示す図である。このカラー複写機は、大きく分けると画像読取装置と画像記録装置（プリントエンジン）からなる。画像読取装置は、画像読み取りユニット（スキャナ）２、画像処理ユニット３を有する。他方、画像記録装置は、画像書き込みユニット４、感光ドラムユニット８と、現像部１０、中間転写部９、給紙部１１、定着部１２、複写機機構部６を有する。また、これらの読取と記録の両装置に共通して制御動作を行うために、メインコントローラとしてのシステム制御ユニット１、ＵＩ（User Interface）としての繰作部（ＬＣＤ：Liquid Crystal Display）ユニット７を備える。
【０００８】
本実施形態のカラー複写機によりカラー複写を行う場合の動作の概略を示すと、画像読み取りユニット２により、光源からの照明光により照射される原稿を副走査しながら、原稿からの反射光を３ラインＣＣＤセンサにより検出して画像の読み取りを行い、画像データを画像処理ユニット３に送る。画像処理ユニット３では、スキャナγ補正、色変換、主走査変倍、画像分離、加工、エリア処理、階調補正処理などの画像処理（後記図５の説明、参照）を行なった画像データを画像書き込みユニット４へ送る。画像書き込みユニット４では、画像データに応じた変調をかけてＬＤ（レーザダイオード）を駆動する。ドラムユニット８では一様に帯電された回転する感光体ドラムに前記ＬＤから光学系を介して露光走査を行うレーザビームにより静電潜像を書き込み、現像部１０によりトナーを付着させて顕像化させる（図１は１ドラムの方式を示すが、いわゆる４色分のドラムを持つタンデム方式でも良い）。感光体ドラム上に作られた画像は、中間転写部９の転写ベルト上に転写される。中間転写ベルト上にはフルカラーコピーの場合４色（ブラック：B、シアン：C、マゼンタ：M、イェロー：Y）のトナーが順次重ねられる。フルカラーコピーの場合にはB、C、M、Yの４色の作像・転写工程が終了した時点で中間転写ベルトとタイミングを合わせて、給紙部１１より転写紙が給紙され、紙転写部で中間転写ベルトから４色同時に転写紙にトナーが転写される。トナーが転写された転写紙は搬送部を経て定着部１２に送られ、定着ローラと加圧ローラによって熱定着され排紙される。
【０００９】
また、上記したコピー動作を行わせる際に、ユーザの選択により設定される利用機能の選択や出力条件は、操作部ユニット７によって入力される。入力操作で設定された機能や出力条件は、システム制御ユニット１に通知され、システム制御ユニット１では設定された条件に従った処理を実行するための制御を行う。この時、システム制御ユニット１は、画像読み取りユニット２、画像処理ユニット３、画像書き込みユニット４の各ユニットに対して制御指示を行う。
図２は、操作部ユニット７の操作パネルの１例を示す図である。図２に示すように、操作部ユニット７の操作パネル３０には、液晶（ＬＣＤ）タッチパネル３１、テンキー３２、クリア／ストップキー３３、プリントキー３４、予熱キー３５、リセットキー３６、割り込みキー３７、初期設定キー３８、新規予約キー３９、ジョブ一覧キー４０、コピーキー４１、簡単画面キー４２、ドキュメントボックスキー４４が設けられている。
液晶タッチパネル３１の画面には、複写機のＧＵＩ機能に必要な、機能キー、コピー部数、及び複写機の状態（ステータス）を示すメッセージなどの表示が行われる。なお、ユーザが利用機能や出力条件の設定入力の操作を行う際に、表示される設定画面については、後記で詳述する。
【００１０】
割り込みキー３７の押下により、割込みモードに移行する。割り込みモードは、コピー動作実行中および操作中において、一時的に他のコピー作業を割り込ませて、コピーをするときのモードである。このモードを設定することにより、割り込み前のコピーモード、およびコピー途中であれば、その途中経過情報を不揮発ＲＡＭに記憶し、割り込みモードに移行し、モードを初期化する。コピー動作実行後、割り込みモードを解除すると、不揮発ＲＡＭに記憶したモードおよび情報を戻して、割り込みモード設定前の状態に復帰させ、再スタートにて、割り込み前のモードを継続することを可能とする。
初期設定キー３８の押下により、機械の初期状態を任意にカスタマイズすることが可能となる。機械が収納している用紙サイズを設定したり、コピー機能のモードクリアキーを押したときに設定される状態を任意に設定可能である。また、一定時間操作が無いときに優先して選択されるアプリケーション等を選択するとか、国際エネルギースター計画に従った低電力への移行時間の設定や、オートオフ／スリープモードへの移行する時間を設定することを可能とする。
予熱キー３５を押すと、機械は待機状態から、電力低減状態に移行し、定着温度を低下させたり、操作パネル３０の表示を消灯する。予熱状態は、国際エネルギースター計画で言う、低電力状態を意味している。また、予熱状態、オフ状態／スリープ状態を解除し、待機状態に移行させるには、この予熱キー３５を再度押下する。
コピーキー４１を押すと、原稿画像のコピーが可能になる。
ドキュメントボックスキー４４を押すと、永久保存が可能な記憶装置（例えば、ハードディスク、不揮発メモリ等）に蓄積された画像のプリント出力が可能になる。
新規予約キー３９は、予約コピーを行なうときに使用する。ジョブ一覧キー４０の押下により、動作中のコピージョブの一覧を表示する。
【００１１】
図３は、本実施形態の複写機の操作パネル３０に設けたコピーキー４１を押した場合の液晶タッチパネル３１の表示例を示す平面図である。
図３に示す表示画面は、コピー出力を行う際に、ユーザが利用する機能や出力条件の設定入力の操作を行う画面であり、コピーキー４１を押した場合には、先ず、標準画面５０を出す表示モードとなる。標準画面５０には、設定できる全ての出力条件設定項目が表示される。
オペレータ（ユーザ）が液晶タッチパネル３１に表示された標準画面５０上に表示された機能等の各設定項目を示すキー５０ａの中から選択した設定項目を示すキーにタッチすることで、その項目のキーが黒く反転する。
また、機能の詳細を指定しなければならない場合、例えば変倍であれは、変倍キー５０ｂにタッチすることで、変倍値等の詳細機能を設定する画面が開かれる。このように、液晶タッチパネル３１は、ドット表示器を使用しているため、表示内容を可変し、その時の最適な表示をグラフィカルに行うことが可能となる。
【００１２】
図４は、本実施形態に係わる複写機の制御システムの概略構成を示すブロック図である。
図４は、メインコントローラ（図１のシステム制御ユニット１に当たる）２０を中心とするシステム構成を示している。
メインコントローラ２０は、複写機全体を制御する。メインコントローラ２０には、ＵＩを提供する操作パネル３０（図３参照）の分散制御装置が接続され、操作パネル３０を介してオペレータに対する表示を行い、オペレータの操作による設定入力を受け付ける。この他に、スキャナ、原稿画像の画像メモリへの書き込み及び画像メモリの画像の作像用データへの変換等の制御を行う画像処理ユニット（ＩＰＵ）３、原稿自動送り装置（ＡＤＦ）１５、等に対する分散制御装置が接続されている。
また、メインコントローラ２０には、複数の同種の画像形成装置に接続して、装置の構成、機能情報及び動作制御に関する情報の送受信を行うための連結Ｉ／Ｆ４８が接続されている。メインコントローラ２０は、この連結Ｉ／Ｆ４８を介して接続された外部の画像形成装置の情報を獲得し、動作に必要な情報を設定することにより連結動作の制御を行ったり、接続された外部の画像形成装置からの出力要求に応じ、自機を制御する。連結動作においては、できるだけ両機のジョブ終了が同時になるように、常時両機の状態（サプライエンドやジャムなど）を監視し、両機の分配率を見直すようにする。ソートモードの場合では、部数単位で分配する、といった制御を行う。
上記の各分散制御装置とメインコントローラ２０は、必要に応じて機械の状態、動作司令のやりとりを行っている。また紙搬送等に必要なメインモータ２５、各種クラッチ２１〜２４も接続されている。
【００１３】
ここで、画像処理ユニット（ＩＰＵ）３について、その内部構成を示す図５のブロック図を参照して、説明する。
図示しない露光ランプによって原稿を照射し、原稿からの反射光を、ＣＣＤイメージセンサ５４にて光電変換し、得られる原稿画像のアナログ信号をＡ／Ｄコンバータ６１にてデジタル信号に変換する。デジタル信号に変換された画像信号は、シェーディング補正部６２で補正シェーディング補正がなされた後、ＭＴＦ・γ補正部６３にてＭＴＦ補正、γ補正等がなされる。その後、変倍部７２を経由した画像信号は、変倍率に合せて拡大縮小され、セレクタ６４に流れる。
セレクタ６４では、画像信号の送り先を、書き込みγ補正ユニット７１又は（画像）メモリコントローラ６５へ切り替える。書き込みγ補正ユニット７１を経由した画像信号は作像条件に合わせて書き込みγが補正され、書き込みユニット５７に送られる。
画像メモリコントローラ６５とセレクタ６４間は、双方向に画像信号を入出力可能な構成となっている。また、画像メモリコントローラ６５等への設定や、画像読み取りユニット２及び書き込み部５７の制御を行うＣＰＵ６８、及びそのプログラムやデータを格納するＲＯＭ６９、ＲＡＭ７０を備えている。更にＣＰＵ６８は、メモリコントローラ６５を介して、画像メモリ６６に対するデータの書き込み、読み出しが行える。
なお、画像メモリ６６は、画像メモリ６６で容量が確保できない場合には、図示しないが、画像メモリ６６とは別に、或いは画像メモリ６６に代えて、多くの画像データを収納するためハードディスク（ＨＤ：Hard Disk）が用いられることもある。ハードディスクを用いることにより、外部電源が不用で永久的に画像を保持できる特徴もある。複数の定型の原稿（フォーマット原稿）をスキャナで読み込み保持するためには、このハードディスクが用いられのが一般的となっている。
連結Ｉ／Ｆ４８は、画像情報の送受信のため、メモリコントローラ６５のデータバスに接続され、データの入出力が可能な構成になっている。画像形成装置間のデータ転送速度に応じて、画像情報は画像メモリ６６を介して転送される。即ち、外部機による画像出力時にはメモリコントローラ６５から画素メモリ６６に画像データを格納した後、画像形成装置間のデータ転送速度に応じて順次画像メモリ６６からデータを読み出して、連結Ｉ／Ｆ４８にデータを転送する。自機の画像出力時には、連結Ｉ／Ｆ４８より転送される画像データを画像メモリ６６に格納した後、画像メモリ６６から画像メモリコントローラ６５を介して装置内部で画像データの処理を行う。こうした構成により、情報処理装置の機能の制約を受けることなく連結動作の実現が可能となる。
【００１４】
原稿画像で画像メモリコントローラー６５へ送られた画像は、画像メモリコントローラ６５内にある画像圧縮装置によって画像データを圧縮した後、画像メモリ６６に送られる。
ここで画像圧縮をする理由は、最大画像サイズ分の２５６階調のデータをそのまま画像メモリ６６に書き込むことも可能であるが、この場合、１枚の原稿画像のデータ量が大きくなり、その分画像メモリに必要とする容量も増え、メモリの有効利用にとって望ましくないからである。画像圧縮を行うことで、限られた画像メモリ６６を有効に利用できるようにする。また、圧縮によって、一度に多くの原稿画像データを記憶するが出来るため、ソート機能として、貯えられた原稿画像イメージデータをページ順に出力することができる。この場合画像を出力する際に画像メモリ６６のデータを画像メモリコントローラ６５内の伸長装置で順次伸長しながら出力を行う。このような機能は一般に「電子ソート」と呼ばれている。
また、画像メモリ６６の機能を利用して、複数枚の原稿画像を、画像メモリ６６の転写紙一枚分のエリアを分割したエリアに順次読み込む事も可能となる。例えば、４枚の原稿画像を、画像メモリの転写紙一枚分の４等分されたエリアに順次書込むことで、４枚の原稿が一枚の転写紙イメージに合成され集約されたコピー出力を得ることが可能となる。このような機能は一般に「集約コピー」と呼ばれている。
画像メモリ６６の画像はＣＰＵ６８からアクセス可能な構成となっている。このため画像メモリの内容を加工することが可能であり、例えば画像の間引き処理、画像の切り出し処理等が行える。加工には、画像メモリコントローラー６５のレジスタにデータを書込むことで画像メモリの処理を行うことができる。加工された画像は、再度、画像メモリ６６に保持される。
画像メモリ６６は、処理を行う画像データの大きさにより複数のエリアに分割して画像データの入出力を同時に実行可能な構成をとっている。各分割したエリアに画像データの入力、出力をそれぞれ並列に実行可能にするために画像メモリコントローラ６５とのインターフェースにリード用とライト用の二組のアドレス・データ線で接続されている。これによりエリア１に画像を入力（ライト）する間にエリア２より画像を出力（リード）するという動作が可能になる。
また、画像メモリ６６の内容をＣＰＵ６８が読みだし、Ｉ／Ｏポート６７を経て、画像データ７３として操作部３０に転送することが可能な構成となっている。一般に、操作部３０の画面表示解像度は低い為、画像メモリ６６の原画像は画像間引きが行われ操作部３０に送られる。
【００１５】
セレクタ６４（図５、参照）における画像信号のタイミングチャートを示す図６を参照し、１ページ分の画像信号について説明する。
図６において、／ＦＧＡＴＥ（フレームゲート信号）は、１ページ分の画像データに対する副走査方向の有効期間を表している。
／ＬＳＹＮＣ（主走査同期信号）は、１ライン毎の主走査同期信号であり、この信号が立ち上がった後の所定クロックで（図示の例では、８クロック）、画像信号が有効となる。主走査方向の画像信号が有効であることを示す信号が、／ＬＧＡＴＥ（ラインゲート信号）である。／ＦＧＡＴＥ、／ＬＧＡＴＥは、画素クロックＶＣＬＫ（画素同期信号）に同期しており、ＶＣＬＫの１周期に対し１画素８ビット（２５６階調）のデータが送られてくる。
画像処理ユニット（ＩＰＵ）３は、画像入力、出力のそれぞれに対して。別個に／ＦＧＡＴＥ、／ＬＳＹＮＣ、／ＬＧＡＴＥ、ＶＣＬＫの発生機構を有しており、様々な画像入出力の組合せが実現可能になる。
【００１６】
読取後に画像メモリ６６や図示しないＨＤＤ等に蓄積された原稿画像に対し、ドキュメントボックス機能を用いて、プリント出力を行う場合には、図２の操作パネルにおけるドキュメントボックスキー４４を押下する。
ドキュメントボックスキー４４を押下すると、液晶タッチパネル３１の画面にドキュメントボックス機能により蓄積された文書の一覧画面が表示される。この文書一覧画面の中から出力したい文書を選択し、選んだ文書にタッチする。タッチされた文書表示は、反転して文書の選択状態が分かるようにしておく。
この状態でスタートキー３４を押下することで、予め登録されているプリント出力条件（印刷モード）で出力処理が開始できる。
また、選択した文書に、新たにプリント出力条件を設定する場合には、一覧画面に設定画面を呼ぶためのキーを設けておき、このキーを押下することにより、コピー機能を利用するときに提示された設定画面（図３、参照）と同様の画面を表示し、この画面でユーザの設定操作を受付け、その後、スタートキー３４の押下により、設定に従った出力処理を開始する。
【００１７】
次に、本実施形態の複写機でコピーやドキュメントボックス機能を用いて出力を行う際に、ユーザが利用する機能や出力条件を設定するために用いるＧＵＩに係わる実施形態について、説明する。
先に、図３で示したＧＵＩの設定画面は、コピーキー４１を押した場合に呼び出される標準画面５０である。この標準画面５０には、設定できる全ての機能や出力条件の設定項目（以下、単に「出力条件設定項目」という）が表示されているために、ユーザによっては、設定操作を煩雑かつ困難なものにする。
そこで、標準画面５０に代えて、一部の出力条件設定項目に限った簡単な設定用画面（以下、「簡単画面」という）を用意し、この簡単画面を標準画面５０との間で切換表示することを可能にする。
図７に示す表示画面は、簡単画面の１例を示す。この簡単画面１０１は、コピー出力を行う際に、ユーザが利用する機能や出力条件の設定入力の操作を行う画面であり、図３で示した標準画面５０に対して、簡単化を図ったものである。
図７に示されている簡単画面１０１では、この簡単画面で設定可能な機能の項目として、片面→両面ボタン１０２、両面→両面ボタン１０３、片面→両面集約ボタン１０４、片面→片面集約ボタン１０５、ソートボタン１０６、スタックボタン１０７、ステープルボタン１０８が表示される例を示している。
この簡単画面１０１を表示する方法としては、例えば、操作パネル３０（図２、参照）に設けたコピーキー４１を押して、標準画面５０を液晶タッチパネル３１に表示させ、続いて、簡単画面キーを押すことによって簡単画面１０１を液晶タッチパネル３１に表示させる、というような手順が考えられる。
この簡単画面キーは、例えば、図２に示すように、簡単画面キー４２としての操作パネル３０に常設する方法をとっても良い。また、この簡単画面キー４２をトグルスイッチとして、この簡単画面キー４２を押して、液晶タッチパネル３１の表示画面を標準画面５０から簡単画面１０１へ変更した場合は、もう一度簡単画面キー４２を押すことによって、標準画面５０へと表示画面を戻すことができる。
【００１８】
上記した設定画面の表示方法、即ち、簡単画面１０１を用いることで設定操作を容易にし、又標準画面５０に切替えることにより簡単画面１０１でカバーできない設定を可能とする方法は、上記「背景技術」の項で述べたように、既存の技術である。
ただ、この既存の技術においては、簡易画面（本案の簡単画面１０１に相当）に設定可能な条件として表示する出力条件設定項目の数や種類をユーザが簡便な方法で変えることができない。従って、ユーザのニーズに合わない、といった不具合が生じる。
そこで、本実施形態では、難しい操作や手順を必要とすることなく、ユーザによって簡単画面１０１に表示する設定項目の数や種類を定め、ユーザのニーズに合わせて設定項目をカスタマイズできるようにするための手段を備え、上記した不具合を解消する。
このために、本実施形態では、初期設定において、簡単画面１０１に表示する出力条件設定項目を登録できるようにする。登録の手順は、コピー／ドキュメントボックス初期設定のメニューから、登録に用いる入力画面を開いて、この登録用の入力画面上でユーザが必要とする出力条件設定項目の選択操作を行えるようにし、選択された項目を簡単画面１０１において、設定可能な出力条件として追加し、表示できるようにする。
【００１９】
図８は、簡単画面に表示する出力条件設定項目を登録するための入力画面の１例を示す。
図８に示したＧＵＩの入力画面は、操作パネル３０（図２）の初期設定キー３８を押して、液晶タッチパネル３１に表示されるコピー／ドキュメントボックス初期設定のメニューの中から「コピー登録機能キー」を選択した時に呼び出されて、表示される初期設定画面である。「コピー登録機能キー」と称するこの初期設定画面１１１は、コピーモードで簡単画面に表示する機能キー（出力条件設定項目キー）を登録するための入力画面として用いられる。なお、ここでは、コピーモードの例を示すが、ドキュメントボックス機能の利用時にも同様の形態で実施が可能である。
図８のコピー登録機能キー初期設定画面１１１において、登録が可能な数分だけ設けた登録用ボタン（図中の１１２はその１つを示す）として示されるボタン群中の空白表示となっているボタンを押すと、この登録用ボタン１１２に割り当てることのできる機能（出力条件設定項目）が、初期設定画面１１１の下部の表示領域にそれぞれボタン形式で表示される。
初期設定画面１１１の下部の表示領域に表示される機能（出力条件設定項目）は、全機能（即ち、標準画面５０の表示画面に載せられている項目）を画面表示し、その中から必要な機能を選択操作することを可能にする。なお、初期設定画面１１１の下部の表示領域に全機能を表示できない場合には、スクロール等の方法を適用して、実施する。
【００２０】
図９に、登録用ボタン１１２を押した後、初期設定画面１１１の下部の表示領域１１３に登録用ボタン１１２に割り当てることのできる機能（出力条件設定項目）を表示した入力画面を例示する。ここで、表示領域１１３に表示された各機能のボタン群（図中の１１４はその１つを示す）から１つを選択して押すことにより、その選択された機能を登録用ボタン１１２へ割り当てることができる。例えば、登録用ボタン１１２を押した状態で、図９に示されている「片面→両：左右」ボタン１１４を押すと、ボタン１１２に「片面→両：左右」機能を割り当てることが可能になる。
上記の手順を経て、登録用ボタン１１２に「片面→両：左右」機能が割り当てられた状態の１例を図１０に示す。図１０に示すように、登録前に空白表示となっていた登録用ボタン１１２の表示部に、上記の登録手順で割り当てられた機能の表示を行うことにより、登録の確認を可能とする。
登録用ボタン１１２に対して行ったと同様の登録手順を各登録用ボタン１１５〜１１９について行うことにより、それぞれに選択した機能（出力条件設定項目）を各ボタンに割り当てることが可能である。
図１１は、ボタン１１２、１１５〜１１９の各ボタンに対して、それぞれ機能を選択して割り当てた状態の１例を示す。図１１においては、それぞれ、ボタン１１２に「片面→両：左右」、ボタン１１５に「ステープル下１か所」、ボタン１１６に「両面→両面」、ボタン１１７に「片面→８枚ごと」、ボタン１１８に「パンチ左３か所」、ボタン１１９に「パンチ上３か所」、といった機能が割り当てられた例を示している。
【００２１】
上記では、簡単画面１０１に表示する機能（出力条件設定項目）を登録するための手段について述べた。次に示す実施形態は、登録した機能を削除する手段について示す。
登録されている機能の中に、不要とする機能がある場合の対応としては、必要な機能の全部を新たに登録することにより、目的の遂行が可能である。ただ、必要な機能の全部を新たに登録する処理方法は、処理効率が悪く、資源の有効利用という点で問題がある。登録した機能を削除する手段は、登録されている機能の中の不要な機能のみを削除することにより、必要な機能については新たに登録する処理を行わずに、最も処理効率の高い方法で、目的の登録結果を得ることができ、また、資源の有効利用が可能になり、これらの点で、意味を持つ。
以下に示す実施形態は、登録した機能を削除する手段として、簡単画面１０１に表示する機能を登録するための上記の登録手段に組み込み、簡単画面１０１に表示する機能の登録に用いた入力画面上で、不要とする機能の削除を可能とする手順を用意することにより実施する例を示す。
【００２２】
つまり、先の簡単画面１０１に表示する機能の登録に用いた図１１の入力画面に、削除を指示するボタンを設け、このボタンに対する入力操作を行うようにする仕組みとする。従って、登録した機能を削除する手順は、登録時に用いると共通の入力画面（図１１）を液晶タッチパネル３１に表示することになり、先の入力画面（図１１）を表示するまでの手順を行う。即ち、操作パネル３０（図２）の初期設定キー３８を押して、液晶タッチパネル３１に表示されるコピー／ドキュメントボックス初期設定のメニューの中から「コピー登録機能キー」を選択し、入力画面を呼び出すまでの手順を削除時にも行う。
図１１に例示する入力画面では、削除指示ボタン１２０が、画面上部に表示された登録されている機能を表示したボタン群（図中の１１９はその１つを示す）の下部の表示領域に、未登録の機能を示すボタン群と同列に設けられている。
この入力画面例では、登録されている機能を表示したボタン群中の１つのボタン１１９には、「パンチ上３か所」機能が選択され割り当てられている。ここで、この機能の削除を行うときには、ボタン１１９を押して、続いて下部の表示領域に設けた、「設定しない」という表示を行っている削除指示ボタン１２０を押下すると、ボタン１１９に割り当てられていた機能の登録が解除され、ボタン１１９は空白表示に戻る。
上記の手順を経て、ボタン１１９に割り当てられ、登録されていた機能が削除された状態の画面の一例を図１２に示す。図１２に示すように、ボタン１１９の表示が空白になったことにより、不要な機能が削除されたことを確認できる。
登録されている機能を表示したボタン１１２に対して行ったと同様の削除手順を他のボタンについて行うことにより、登録されているそれぞれの機能を削除して、各ボタンの表示を空白に戻すことが可能である。
【００２３】
上記実施形態では、簡単画面１０１に表示する機能を登録する手段に、登録した機能を削除する手段を組み込み（登録、削除手段の双方を備え）、簡単画面１０１に表示する機能の登録に用いた入力画面上で不要とする機能の削除を可能とした実施例を示した。
ただ、簡易画面に表示する機能（設定項目）の数や種類をユーザのニーズに合わせてカスタマイズできるようにするための手段としては、各々を単独に備えた形態で実施することも可能であり、このような形態で実施することも、本発明の範囲に含まれる。
即ち、簡単画面１０１に表示する機能を登録する手段のみで構成する場合、必要とする機能の数や種類が異なる時には、新たに登録し、登録した複数のバリエーションを管理し、使用時に必要な簡単画面１０１の表示ができるようにすることが必要になる。また、簡単画面１０１に表示する機能を削除する手段のみで構成する場合も、必要とする機能の数や種類が異なる時には、新たに削除の指示を行うことにより表示する機能を定め、得られる複数のバリエーションを管理し、使用時に必要な簡単画面１０１の表示ができるようにすることが必要になる。
【００２４】
上記実施形態では、標準画面５０（図３、参照）と簡単画面１０１（図７、参照）の間の切り換えを、例えば、操作パネル３０に設けた簡単画面キー４２を押して、液晶タッチパネル３１の表示画面を標準画面５０から簡単画面１０１へ変更した場合は、もう一度簡単画面キー４２を押すことによって、標準画面５０へと表示画面を戻す、といった方法で行う。
ただ、この画面切り換え機能は、利用環境によっては、必ずしも適正に用いられないケースがあり、むしろ標準画面５０と簡易画面１０１のいずれかの表示モードに固定する方が、より使い勝手が良い、という結果になる場合もある。
こうした場合への対応を可能とするために、この実施形態では、上記した簡単画面キー４２を用いる画面切り換え動作を無効にして、標準画面５０と簡易画面１０１のいずれかを選択可能として、選択された画面を表示した後、画面切り換えを禁止して、選択された表示モードに固定する動作を行うようにする。
【００２５】
この表示モードの固定を行うための手順は、操作パネル３０（図２）の初期設定キー３８を押して、液晶タッチパネル３１に表示されるコピー／ドキュメントボックス初期設定のメニューに用意する。即ち、初期設定のメニューの中から、機能（入力条件）設定画面の表示モードを設定するキーを押し、設定画面を呼び出して、設定操作を行う。
この設定操作は、操作パネル３０のコピーキー４１を押下したときに開かれる、機能（入力条件）設定画面の初期画面として、標準画面５０と簡易画面１０１のいずれを選択するかを設定する。また、この設定は、初期画面として開かれた画面から片方の画面への切り換えの禁止を指示し、画面を設定に従った表示モードに固定する。
標準画面５０と簡易画面１０１のいずれかに初期画面の表示モードを固定することによって、例えば装置の操作にあまり詳しくないユーザが多い環境では、簡単画面１０１を初期画面として標準画面５０へは切り換えることができないように設定し、或いは装置の操作に習熟したユーザが多い環境では、標準画面５０を初期画面として簡単画面１０１へは切り換えないような設定をすることにより、高パフォーマンスを引き出すことが可能になる。
【図面の簡単な説明】
【００２６】
【図１】本発明の実施形態に係わるカラー複写機の全体構成の概要を示す図である。
【図２】図１に示す複写機の液晶タッチパネルを持った操作パネルを示す。
【図３】図２の液晶タッチパネルに表示されるコピー機能設定入力用の画面（標準画面）を示す。
【図４】図１に示す複写機の制御システムの概略構成をブロック図にて示す。
【図５】図４に示す画像処理ユニット（ＩＰＵ）の内部構成をブロック図にて示す。
【図６】セレクタ（図５）における画像信号のタイミングチャートを示す。
【図７】図２の液晶タッチパネルに表示されるコピー機能設定入力用の画面（簡単画面）を示す。
【図８】簡単画面に表示する機能（出力条件設定項目）を登録するための入力画面の１例を示す。
【図９】図８の入力画面において、登録用キーの押下時に変遷した画面を示す。
【図１０】図９の入力画面において、登録する機能キーの押下時に変遷した画面を示す。
【図１１】機能キーの登録を完了した時の図９と同様の入力画面を示し、同画面に設けた、登録した機能の削除キーを示す。
【図１２】図１１の入力画面において、登録した機能キーの削除指示によって変遷した画面を示す。
【符号の説明】
【００２７】
１・・システム制御ユニット、        ２・・画像読取ユニット、
３・・画像処理ユニット（ＩＰＵ）    ４・・画像書込みユニット、
７・・操作部（ＬＣＤ）ユニット、    ８・・感光ドラムユニット、
９・・中間転写部、                １０・・現像部、
１１・・給紙部、                    １２・・定着部、
１５・・ＡＤＦ（自動原稿搬送装置）、 ２０・・メインコントローラ、
３０・・操作パネル、                ３１・・液晶（ＬＣＤ）タッチパネル、
３４・・プリントキー、              ３８・・初期設定キー、
４１・・コピーキー、                ４２・・簡単画面キー、
４４・・ドキュメントボックスキー、  ５０・・標準画面、
１０１・・簡単画面。
【図１】
2007068040.tif 000003
【図２】
2007068040.tif 000004
【図３】
2007068040.tif 000005
【図４】
2007068040.tif 000006
【図５】
2007068040.tif 000007
【図６】
2007068040.tif 000008
【図７】
2007068040.tif 000009
【図８】
2007068040.tif 000010
【図９】
2007068040.tif 000011
【図１０】
2007068040.tif 000012
【図１１】
2007068040.tif 000013
【図１２】
2007068040.tif 000014